(57)【特許請求の範囲】
【請求項１】
骨格としての複数の支持バーおよび背もたれ部に形成された前方に開放した挿入溝と、骨格としての複数の支持バー、座板部および踏台部に形成された上方に開放した挿入溝と、を有する椅子と、
昇降用駆動軸および前記昇降用駆動軸により駆動して前記椅子に着座した使用者の身体を打撃する按摩片を有する按摩機の複数と、
前記按摩機を制御する制御部と、
前記挿入溝の対向する縁部に端部がそれぞれ固定され、かつ所定の間隔で並行に配置された複数の弾性ベルトと、
前記並行に配置された隣り合う一対の弾性ベルトの間に配され、前記一対の弾性ベルトにそれぞれ接続され固定されたブラケットとを具備し、
前記按摩機が前記ブラケットにより保持され、前記使用者の背中と、太股またはふくらはぎとを弾力的に支持する緩衝式振動按摩装置であって、
前記ブラケットが、対向する両端部に外部に展開した羽根状の端部および前記按摩機を収容する平板状の底部を有する略Ｕ字形の本体部と、端部が前記本体部の端部と接続され、前記本体部の底部に収容された前記按摩機を固定し脱落を防止する略平板状の蓋とを備え、
前記本体部が、前記底部に形成された前記按摩機の昇降用駆動軸が通過する軸孔と、前記弾性ベルトの端部の下面を押さえるために前記端部を外部に展開して形成された第一羽部および前記弾性ベルトの端部を固定するための羽状の第一固定部とを具備し、
前記蓋が、前記本体部の底部に収容された前記按摩機の昇降用駆動軸が通過する軸孔と、前記第一羽部に対応した形状を有し前記弾性ベルトの上面を押さえるための第二羽部と、前記弾性ベルトの端部の上面に当接させ前記本体部の第一固定部および前記弾性ベルトを接続するための第二固定部とを具備する緩衝式振動按摩装置。
【請求項２】
前記挿入溝の底面に、前記按摩機を冷却するための貫通孔をさらに具備する請求項１記載の緩衝式振動按摩装置。
【請求項３】
幅広の前記貫通孔が、上下に３個配列した請求項１記載の緩衝式振動按摩装置。
【請求項４】
３本の前記弾性ベルトが、長さ方向を上下に向けて前記挿入溝の縁部に配列して固定された請求項１記載の緩衝式振動按摩装置。
【請求項５】
６本の前記弾性ベルトが、長さ方向を水平に向けて前記挿入溝の縁部に配列して固定された請求項１記載の緩衝式振動按摩装置。
【請求項６】
前記按摩機が、隣り合う一対の前記弾性ベルト間の空間部に、３個づつ配された請求項４または５に記載の緩衝式振動按摩装置。
【請求項７】
前記支持バーに固定された発泡性樹脂からなる成型体をさらに具備する請求項１記載の緩衝式振動按摩装置。
【発明の詳細な説明】
【０００１】
【発明の属する技術分野】
本発明は、椅子に着座した使用者に按摩を加える振動按摩装置に関するものであり、より詳しくは、按摩機を使用者の身体に密着して振動させることによりその按摩効果を高めるための改良に関する。
【０００２】
【従来の技術】
一般に、自動按摩機能を備えたマット、椅子等の振動按摩装置において、使用者が適切な指圧効果を得られるように多くの提案がなされている。
例えば、マットの上半部に内設され所定の制御信号によって身体の経絡部分を叩いて刺激する複数個の叩きマッサージ部と、下半部に内設され所定の制御信号によって身体の経絡部分を揺すって刺激する震れマッサージ部と、使用者の操作により叩きマッサージ部および震えマッサージ部に制御信号を伝達する制御部とを有し、叩きマッサージ部が、いずれも制御信号によって、水平運動を行う駆動部と、水平運動を垂直運動に変化させる回動部と、回動部により垂直運動をする按摩機とからなり、使用者のリモコン操作時には制御部によりマットに固定された叩きマッサージ部の按摩機が往復運動しながら使用者の背中を叩くように構成された自動按摩装置が提案されている。
【０００３】
上記のような按摩装置は、按摩機がマットの表面に固定された状態で駆動部により垂直運動をしながら使用者の背中を叩くため、使用者の体格によっては、すなわち使用者の体格が設計されたサイズよりも小さい場合や大きい場合には、按摩機が背中に安定的に密着しないため、適切な按摩効果が得られないといった問題点を有する。
【０００４】
【発明が解決しようとする課題】
本発明は、上記問題点を解決するためのものであり、使用者の体型に関わりなくその身体に安定的に密着させることができ、さらに弾力のある刺激を与えることができる優れた按摩効果を奏する振動按摩機を提供することを目的とする。
【０００５】
【課題を解決するための手段】
本発明の緩衝式振動按摩装置は、骨格としての複数の支持バーおよび背もたれ部に形成された前方に開放した挿入溝を有する椅子と、昇降用駆動軸および昇降用駆動軸により駆動して椅子に着座した使用者の身体を打撃する按摩片を有する按摩機の複数と、按摩機を制御する制御部と、挿入溝の対向する縁部に端部がそれぞれ固定されて所定の間隔で複数個配列した弾性ベルトと、隣り合う一対の弾性ベルトの間に配され、これら弾性ベルトにそれぞれ接続して固定されたブラケットとを備え、按摩機をブラケットにより保持する。
これにより、使用者が椅子に座って按摩機を作動させると、按摩機が弾性ベルトの張力によって使用者の背中を弾力的に支持することから、按摩機の按摩片が休息者の背中を含めて身体全体に安定的に密着しながら振動するようになる。また、按摩機による使用者への打撃が弾性ベルトの張力によって緩衝される。
【０００６】
本発明の好ましい態様においては、挿入溝の底面に、按摩機が発する熱を外部に放出させ、または外気を流入させて按摩機を冷却するための貫通孔を設ける。これにより、機器の温度上昇を防ぎ、安定した動作が可能になる。
本発明の他の好ましい態様においては、貫通孔が幅広で、上下に３個配列している。
本発明のさらに他の好ましい態様においては、３本の弾性ベルトをその長さ方向を上下に向けて、または６本の弾性ベルトをその長さ方向を水平にして、挿入溝の縁部に配列して固定される。より好ましくは、按摩機を、隣り合う一対の弾性ベルト間の空間部に、３個づつ配する。
【０００７】
好ましくは、上記緩衝式振動按摩装置に用いるブラケットは、両端部に外部に展開した羽根状の端部および按摩機を収容する平板状の底部を有する略Ｕ字形の本体部と、端部が本体部の端部と接続され、本体部の底部に収容された按摩機を固定し脱落を防止する略平板状の蓋とを備え、本体部が、底部に形成された按摩機の昇降用駆動軸が通過する軸孔と、弾性ベルトの端部の下面を押さえるために端部を外部に展開して形成された第一羽部および弾性ベルトの端部を固定するための羽状の第一固定部とを有し、蓋が、本体部の底部に収容された按摩機の昇降用駆動軸が通過する軸孔と、第一羽部に対応した形状を有し弾性ベルトの上面を押さえるための第二羽部と、弾性ベルトの端部の上面に当接させ本体部の第一固定部および弾性ベルトを接続するための第二固定部とを有する。
【０００８】
本発明の他の緩衝式振動按摩装置は、骨格としての複数の支持バーおよび背もたれ部に形成された前方に開放した挿入溝を有する椅子と、按摩機を制御する制御部と、背もたれ部の水平方向の支持バーに捲回されたコイルバネと、コイルバネの両端部にそれぞれ固定された一対の板状の折曲片と、折曲片に固定されたブラケットと、ブラケットに固定して収容され、昇降用駆動軸およびそれにより駆動して椅子に着座した使用者の背中を弾力的に支持しながら打撃する按摩片を有する按摩機の複数とを備える。
このように、コイルバネを用いても、上記の弾性ベルトを用いた場合と同様に、按摩機を使用者に安定して密着させることができる。
【０００９】
背もたれ部に骨格部として配された支持バーには、クッション材としてまたは椅子の外形を構成するよう、ウレタン等の発泡性樹脂からなる成型体を固定する。発泡性樹脂成型体は、たとえば支持バー全面に発泡性樹脂を吹き付けた後、支持バーに付着した発泡性樹脂ブロックのうちの所定部分を切削等により除去して形成する。
【００１０】
本発明によると、椅子の背もたれ部に配された按摩機を、弾性ベルトまたはコイルバネに固定することにより、使用者が椅子に着座すると按摩機先端の按摩片が使用者の体型に関わりなくその背中に弾力的に安定して密着するようになり、さらに按摩機の作動時には、弾性ベルトまたはコイルバネの復元力によって使用者の背中を叩くことから、按摩効果が倍加する。なお、按摩機を座板部や踏台部にも同様に配すると、より効果的である。
【００１１】
【発明の実施の形態】
以下、本発明の緩衝式振動按摩装置の好ましい実施の形態を、添付した図面を参照しながら詳細に説明する。
【００１２】
《実施の形態１》
本実施形態の緩衝式振動按摩装置を図１に示す。
本緩衝式振動按摩装置は、椅子１０、弾性ベルト２０、按摩機３０、制御部４０、ブラケット６０等により構成される。按摩機３０は、図２に示すようにコントローラ５０により制御される。
椅子１０は、着座した使用者の背中を支持する背もたれ部１１と、臀部または太股を支持する座板部１２と、足首を支持する踏台部１３とを備える。これらは、図３に示すように、それぞれ複数個の支持バー１１ａ、１２ａ等により骨格をなし、さらに、支持バー１１ａおよび１２ａは、その外形を発泡性樹脂材等により成形されている。
ここで、背もたれ部１１と座板部１２の連結部、および座板部１２と踏台部１３の連結部に、それぞれ通常の調節レバーを設け、調節レバーの強制回動によって互いに折り畳みが可能な構成にすることが望ましい。さらに望ましくは、コントローラ５０の操作により、駆動モータを回転させて自動で折り畳みが可能な構成とする。
【００１３】
使用者の背中に当接する背もたれ部１１の表面には、その中央に前方に解放された矩形状の挿入溝１１ｂが設けられていて、さらに挿入溝１１ｂの底面には、背もたれ部１１の他方の面に連通した通孔１１ｃが上下に複数個設けられている。
挿入溝１１ｂには、張力を有する複数個の弾性ベルト２０が、その両端部をそれぞれ挿入溝１１ｂの上下の縁端に固定されて配列している。弾性ベルト２０は、いずれも同一大の所定面積を有し、隣り合う弾性ベルト２０間には所定幅の隙間が形成されている。
【００１４】
弾性ベルト２０間の隙間には、折曲げ加工により形成され、それぞれ按摩機３０を固定して収容した複数個のブラケット６０が配されている。ブラケット６０は、按摩機３０を固定した状態で隣り合う一対の弾性ベルト２０にそれぞれ結合されている。ブラケット６０は、図５に示すように、按摩機３０を囲う本体部６４と、按摩機３０を固定しその脱落を防止するために本体部６４の上側に結合された蓋６８とからなる。
本体部６４は、板状の素材を“Ｕ”字状に折曲げて加工されたもので、その折曲げられた内側の溝部に按摩機３０が挿入固定される。溝部底面の中央には、収容する按摩機３０の昇降用駆動軸３１の下端が通過するように軸溝６１が設けられている。
さらに、本体部６４の両端部には、それぞれ外側に展開された一対の第１羽部６２が折曲げ加工により形成されている。各端部の一対の第１羽部６２の間は、所定幅に切開されていて、両端部の第１羽部６２との間に弾性ベルト２０の側端部を嵌入するための羽状の第１固定部６３が折曲げ加工により形成されている。
【００１５】
蓋６８は、収容する按摩機３０が本体部６４より離脱せず、その昇降用駆動軸３１が垂直な状態で維持できるように本体部６４の上面を覆うもので、その中央には駆動軸３１の上端部が通過できるように軸孔６４が形成されている。また、その端部には、両側にそれぞれ本体部６４の第１羽部６２に対応した形状で、弾性ベルト２０の上面を押さえるための第２羽部６６が設けられている。また、端部の中央には、第１固定部６３の上面と結合させ、さらにボルト等により弾性ベルト２０を固定するための第２固定部６７が、折曲げ加工により形成されている。
ここで、按摩機３０が使用者の背中とより安定的に密着できるように、弾性ベルト２０の長さ方向を上下に向ける場合には図１に示すように３本を、また図示しないが水平にする場合には６本を、その両端をそれぞれ挿入溝１１ｂの縁端に固定することが望ましい。
【００１６】
按摩機３０は、図２および図５に示すように、磁力により上下運動する昇降用駆動軸３１と、駆動軸３１の外周面を囲むように配された駆動軸３１を上下に遊動させるコイル３２と、駆動軸３１の先端に装着され、使用者の背中を叩く按摩片３３を備える。
按摩機３０は、制御部４０に記録された信号値によって多様な強弱のリズムで動作する。制御部４０は、コントローラ５０を操作することによって制御される。
なお、按摩機３０を、図１に示すように、背もたれ部１１のみでなく、運動後の使用者が疲れを負っているふくらはぎ、太股等を叩くように、座板部１２や踏台部１３にも設けるなどして椅子１０全体に振動を発生させることが望ましい。
【００１７】
座板部１２および踏台部１３に按摩機３０を配する場合、たとえば図１に示すように、それぞれに安着段を有する階段型孔１２ｂおよび１３ｂを形成し、安着段に弾性ベルト２０を２列固定した後、按摩機３０を収容したブラケット６０の両側の羽を弾性ベルト２０の内側に嵌入し、ブラケット６０と弾性ベルト２０をボルト等で固定すれば良い。
なお、座板部１２と踏台部１３に用いる弾性ベルト２０には、金属など、弾性が低い他の材料を利用しても良い。
【００１８】
図３に示すように、使用者が椅子１０の座板部１２に座って踏台部１３に足を乗せ、背もたれ部１１に背をもたれると、使用者の背中、太股、ふくらはぎ等の部分が、弾性ベルト２０に固定された按摩機３０先端の按摩片３３に密着する。このとき、按摩片３３の隆起部頂点は使用者の支持力に応じて所定幅後方に押されるとともに、弾性ベルト２０の復元力により前方に遊動するため、安定した密着状態が得られる。
【００１９】
コントローラ５０を操作して望むモードにスイッチングすると、制御部４０は選択されたメモリ値を出力し、各按摩機３０の駆動軸３１を作動させてその垂直運動をそれぞれ制御する。
連続振動している按摩機３０は、弾性ベルト２０の支持力によって按摩片３３を昇降させて使用者の背中をくまなくリズミカルに叩き、同時に弾性ベルト２０は、按摩片３３の打撃の瞬間に弾性復元力を発生させ、使用者の背中を叩く按摩片３３に緩衝力を与える。
動作する按摩機３０に生ずる熱は、背もたれ部１１の挿入溝１１ｂで捕集された後、貫通孔１１ｃを通じてまたは外部空気の循環により外部へ排出されて按摩機３０の過熱が防止される。
【００２０】
《実施の形態２》
本実施の形態の緩衝式振動按摩装置を図４に示す。
この緩衝式振動按摩装置は、上記実施の形態の振動按摩装置のような弾性ベルト２０を用いずに、按摩機３０が使用者の屈曲した背中の表面に安定的に支持できるようにしたものである。
この緩衝式振動按摩装置では、背もたれ部１１の骨格をなす水平方向に固定された支持バー１１ａにはコイルバネ７０が捲回されている。コイルバネ７０は、固定された一対の板状の折曲片８０を有する。按摩機３０をこの折曲片８０に配することで、按摩片３３が使用者の屈曲した背中の表面に密着するようになっている。すなわち、折曲片８０は図示の通りコイルバネ７０の両端に固定され、按摩機３０がコイルバネ７０の弾性力で使用者の背中の表面に密着する。
【００２１】
なお、以上の実施の形態は、本発明の緩衝式振動按摩装置の具体的な例を挙げて説明したものである。したがって、本発明は、上記実施の形態に限定されず、その主旨を逸しない範囲において種種の変更が可能であることは言うまでもない。たとえば、本発明は、椅子のみならずマット等にも適用が可能であることは勿論である。
【００２２】
【発明の効果】
本発明によると、弾性ベルトまたはコイルバネに按摩機を固定することで、使用者の体型に関わらず、使用者の背中を叩く按摩機の按摩片を安定してその背中に密着させることができ、さらにベルトやバネの復元力を用いることができるため、より按摩効果の優れた緩衝式振動按摩装置を提供することができる。
【図面の簡単な説明】
【図１】本発明の一実施例の緩衝式振動按摩装置を示す分解斜視図である。
【図２】同要部を示す縦断面図である。
【図３】同使用状態を示す縦断面図である。
【図４】本発明の他の実施例の要部を示す縦断面図である。
【図５】本発明の一実施例の緩衝式振動按摩装置に用いるブラケットおよび按摩機を示す斜視図である。
【符号の説明】
１０  椅子
１１  背もたれ部
１１ａ、１２ａ  支持バー
１１ｂ  挿入部
１１ｃ  貫通孔
１２  座板部
１３  踏台部
２０  弾性ベルト
３０  按摩機
３１  昇降用駆動軸
３２  コイル
３３  按摩片
４０  制御部
５０  コントローラ
６０  ブラケット
７０  コイルバネ
８０  折曲片
【図１】
0003569672.tif 000002
【図２】
0003569672.tif 000003
【図３】
0003569672.tif 000004
【図４】
0003569672.tif 000005
【図５】
0003569672.tif 000006